(57)【要約】【課題】主表示領域と複数の副表示領域とを利用して、より有用な表示を行うことが可能な画像表示装置およびそれに関連する技術を提供する。【解決手段】撮像装置（画像表示装置）１は、主表示領域ＭＲと複数の副表示領域ＳＲ１〜ＳＲ３とを有する背面モニタ１２（表示手段）を備える。また、撮像装置１の表示制御手段は、背面モニタ１２における表示内容を制御して、複数の副表示領域ＳＲ１〜ＳＲ３に複数の画像を表示するとともに、複数の副表示領域ＳＲ１〜ＳＲ３のうちの一の副表示領域（例えばＳＲ２）に表示される画像Ｐ２を主表示領域ＭＲにも表示する。また、画像拡大処理を含む変更処理の指示入力に応答して、画像Ｐ２内の拡大対象部分を拡大した拡大後の画像Ｐ２が主表示領域ＭＲに表示されるとともに、拡大対象部分を示す枠表示ＦＨが拡大前の画像Ｐ２に重ねて一の副表示領域ＳＲ２に表示される。【選択図】図７
2009151214.tif 000002
【特許請求の範囲】
【請求項１】
画像表示装置であって、
主表示領域と複数の副表示領域とを有する表示手段と、
前記表示手段における表示内容を制御して、前記複数の副表示領域に複数の画像を表示するとともに、前記複数の副表示領域のうちの一の副表示領域に表示される第１の画像を前記主表示領域にも表示する表示制御手段と、
画像拡大処理を含む変更処理の指示入力を受け付ける入力手段と、
を備え、
前記表示制御手段は、前記指示入力に応答して、前記第１の画像内の拡大対象部分を拡大した拡大後の前記第１の画像を前記主表示領域に表示するとともに、前記拡大対象部分を示す枠表示を拡大前の前記第１の画像に重ねて前記一の副表示領域に表示することを特徴とする画像表示装置。
【請求項２】
請求項１に記載の画像表示装置において、
前記表示制御手段は、前記指示入力に応答して、前記複数の副表示領域のうち前記一の副表示領域とは異なる他の副表示領域において、前記第１の画像とは異なる第２の画像を表示するとともに、前記拡大前の前記第１の画像に関する枠表示の大きさと同等の大きさの枠表示を前記第２の画像に重ねて表示することを特徴とする画像表示装置。
【請求項３】
請求項１に記載の画像表示装置において、
画像の画質調整処理を行う画質調整手段、
をさらに備え、
前記変更処理は、前記画像拡大処理と前記画質調整処理とを含み、
前記表示制御手段は、前記指示入力に応答して、前記第１の画像内の拡大対象部分を拡大した拡大後の前記第１の画像であって前記画質調整処理が施された前記第１の画像を前記主表示領域に表示するとともに、前記拡大対象部分を示す枠表示を拡大前の前記第１の画像に重ねて前記一の副表示領域に表示することを特徴とする画像表示装置。
【請求項４】
請求項３に記載の画像表示装置において、
前記画質調整処理は、色、コントラスト、および明るさのうちの少なくとも１つに関する処理であることを特徴とする画像表示装置。
【請求項５】
撮像装置であって、
主表示領域と複数の副表示領域とを有する表示手段と、
前記表示手段における表示内容を制御して、前記複数の副表示領域に複数の画像を表示するとともに、前記複数の副表示領域のうちの一の副表示領域に表示される第１の画像を前記主表示領域にも表示する表示制御手段と、
画像拡大処理を含む変更処理の指示入力を受け付ける入力手段と、
を備え、
前記表示制御手段は、前記指示入力に応答して、前記第１の画像内の拡大対象部分を拡大した拡大後の前記第１の画像を前記主表示領域に表示するとともに、前記拡大対象部分を示す枠表示を拡大前の前記第１の画像に重ねて前記一の副表示領域に表示することを特徴とする撮像装置。
【請求項６】
コンピュータに、
a)主表示領域と複数の副表示領域とを有する表示手段において、前記複数の副表示領域に複数の画像を表示するとともに、前記複数の副表示領域のうちの一の副表示領域に表示される第１の画像を前記主表示領域にも表示する手順と、
b)画像拡大処理を含む変更処理の指示入力に応答して、前記第１の画像内の拡大対象部分を拡大した拡大後の前記第１の画像を前記主表示領域に表示するとともに、前記拡大対象部分を示す枠表示を拡大前の前記第１の画像に重ねて前記一の副表示領域に表示する手順と、
を実行させるためのプログラム。
【発明の詳細な説明】
【技術分野】
【０００１】
本発明は、画像を表示する画像表示装置およびそれに関連する技術に関する。
【背景技術】
【０００２】
画像表示装置の中には、主画面と副画面とを有する表示部に複数の画像を表示するものが存在する。
【０００３】
例えば、特許文献１においては、複数の副画面に複数の画像が表示されており、当該複数の画像の中から選択された画像が、或る副画面から主画面へと徐々に移動するように表示されることが示されている。
【０００４】
【特許文献１】特開２０００−１８１４２７号公報
【発明の開示】
【発明が解決しようとする課題】
【０００５】
上記の技術は、或る画像を一の副画面（副表示領域とも称する）から主画面（主表示領域とも称する）へと移動させる際の表示技術に関するものであり、それ以外の用途に関するものではない。主画面と副画面との利用手法には、改善の余地がある。
【０００６】
そこで、この発明の課題は、主表示領域と複数の副表示領域とを利用して、より有用な表示を行うことが可能な画像表示装置およびそれに関連する技術を提供することにある。
【課題を解決するための手段】
【０００７】
本発明の第１の側面は、画像表示装置であって、主表示領域と複数の副表示領域とを有する表示手段と、前記表示手段における表示内容を制御して、前記複数の副表示領域に複数の画像を表示するとともに、前記複数の副表示領域のうちの一の副表示領域に表示される第１の画像を前記主表示領域にも表示する表示制御手段と、画像拡大処理を含む変更処理の指示入力を受け付ける入力手段とを備え、前記表示制御手段は、前記指示入力に応答して、前記第１の画像内の拡大対象部分を拡大した拡大後の前記第１の画像を前記主表示領域に表示するとともに、前記拡大対象部分を示す枠表示を拡大前の前記第１の画像に重ねて前記一の副表示領域に表示するものである。
【０００８】
本発明の第２の側面は、撮像装置であって、主表示領域と複数の副表示領域とを有する表示手段と、前記表示手段における表示内容を制御して、前記複数の副表示領域に複数の画像を表示するとともに、前記複数の副表示領域のうちの一の副表示領域に表示される第１の画像を前記主表示領域にも表示する表示制御手段と、画像拡大処理を含む変更処理の指示入力を受け付ける入力手段とを備え、前記表示制御手段は、前記指示入力に応答して、前記第１の画像内の拡大対象部分を拡大した拡大後の前記第１の画像を前記主表示領域に表示するとともに、前記拡大対象部分を示す枠表示を拡大前の前記第１の画像に重ねて前記一の副表示領域に表示するものである。
【０００９】
本発明の第３の側面は、コンピュータに、a)主表示領域と複数の副表示領域とを有する表示手段において、前記複数の副表示領域に複数の画像を表示するとともに、前記複数の副表示領域のうちの一の副表示領域に表示される第１の画像を前記主表示領域にも表示する手順と、b)画像拡大処理を含む変更処理の指示入力に応答して、前記第１の画像内の拡大対象部分を拡大した拡大後の前記第１の画像を前記主表示領域に表示するとともに、前記拡大対象部分を示す枠表示を拡大前の前記第１の画像に重ねて前記一の副表示領域に表示する手順とを実行させるためのプログラムである。
【発明の効果】
【００１０】
本発明によれば、第１の画像内の拡大対象部分を拡大した拡大後の第１の画像が主表示領域に表示されるとともに、拡大対象部分を示す枠表示が拡大前の第１の画像に重ねて一の副表示領域に表示されるので、主表示領域内に表示された拡大画像が元の画像のいずれの部分を拡大したものであるかを容易に確認できる。
【発明を実施するための最良の形態】
【００１１】
以下、本発明の実施形態を図面に基づいて説明する。
【００１２】
＜１．構成＞
図１および図２は、本発明に係る撮像装置１の外観構成を示す図である。ここで、図１は、撮像装置１の正面外観図であり、図２は、撮像装置１の背面外観図である。この撮像装置１は、レンズ交換式一眼レフレックスタイプのデジタルカメラとして構成されている。なお、撮像装置１は、背面モニタ１２（後述）に画像を表示する画像表示装置としても機能する。
【００１３】
図１に示すように、撮像装置１は、カメラ本体部（カメラボディ）２を備えている。このカメラ本体部２に対して、交換式の撮影レンズユニット（交換レンズ）３が着脱可能である。
【００１４】
また、カメラ本体部２は、その正面左上部にモード設定ダイヤル８２を備え、その正面右上部に制御値設定ダイヤル８６を備えている。モード設定ダイヤル８２を操作することによれば、カメラの各種モード（各種撮影モード（人物撮影モード、風景撮影モード、およびフルオート撮影モード等）、撮影した画像を再生する再生モード、および外部機器との間でデータ交信を行う通信モード等を含む）の設定動作（切替動作）を行うことが可能である。また、制御値設定ダイヤル８６を操作することによれば、各種撮影モードにおける制御値を設定することが可能である。
【００１５】
また、カメラ本体部２は、正面左端部に撮影者が把持するためのグリップ部１４を備えている。グリップ部１４の上面には露光開始を指示するためのレリーズボタン１１が設けられている。グリップ部１４の内部には電池収納室とカード収納室とが設けられている。電池収納室にはカメラの電源として、例えばリチウムイオン電池が収納されており、カード収納室には撮影画像の画像データを記録するためのメモリカード９０（図３参照）が着脱可能に収納される。
【００１６】
図２において、カメラ本体部２の背面の略中央には、背面モニタ１２が設けられている。背面モニタ１２は、例えばカラー液晶ディスプレイ（ＬＣＤ）として構成される。背面モニタ１２は、各種のメニュー画面を表示すること、および、再生モードにおいてメモリカード９０（記録媒体）に記録された撮影画像を再生表示することなどが可能である。
【００１７】
背面モニタ１２の左上部にはメインスイッチ８１が設けられている。メインスイッチ８１は２点スライドスイッチからなり、接点を左方の「ＯＦＦ」位置に設定すると、電源がオフになり、接点の右方の「ＯＮ」位置に設定すると、電源がオンになる。
【００１８】
背面モニタ１２の右側には方向選択キー８４（図４も参照）が設けられている。この方向選択キー８４は、上ボタン８４Ｕと下ボタン８４Ｄと左ボタン８４Ｌと右ボタン８４Ｒとを有しており、上下左右の４方向の押圧操作を検出できるように構成されている。また、方向選択キー８４は、中央ボタン８４Ｃを有しており、上記４方向の押圧操作とは別に、中央部における押圧操作も検出できる。
【００１９】
背面モニタ１２の左側には、メニュー画面の設定、画像の削除などを行うための複数のボタンからなる設定ボタン群８３が設けられている。設定ボタン群８３には、メニューボタン８３Ａおよびシフトボタン８３Ｄが含まれている。
【００２０】
＜２．機能ブロック＞
つぎに、撮像装置１の機能の概要について説明する。
【００２１】
撮像装置１は、撮像素子（ＣＣＤ等）を備えており、光電変換作用により撮影光学系からの被写体の光像（被写体像）を電気的信号に変換して、本撮影画像に係る画像信号（記録用の画像信号）を生成する。
【００２２】
本撮影画像に係る画像データは、適宜の画像処理（圧縮処理等を含む）が施された後、メモリカード９０に記憶される。
【００２３】
また、メモリカード９０内に格納されている画像データは撮像装置１内に読み出され、当該画像データに基づく画像が背面モニタ１２に表示される。すなわち、撮像装置１の背面モニタ１２においては、撮影済みの本撮影画像を再生する再生表示が実現される。
【００２４】
以下では、撮像装置１の再生機能を中心に説明する。
【００２５】
図３の機能ブロック図に示すように、撮像装置１は、読出部２１、表示制御部２２、背面モニタ１２（表示部）、変更制御部３０、および画像メモリ５６等を備える。
【００２６】
読出部２１は、メモリカード９０内の画像データを撮像装置１の画像メモリ５６上へと読み出す処理を制御する。
【００２７】
表示制御部２２は、画像メモリ５６に格納された画像データに基づく画像を背面モニタ１２に表示する表示動作を制御する。この表示制御部２２は、背面モニタ１２における表示内容を制御して、互いに異なる複数の画像を複数の副表示領域ＳＲ（ＳＲ１〜ＳＲ３）（図５参照）に表示するとともに、複数の副表示領域ＳＲ１〜ＳＲ３のうちの一の副表示領域ＳＲ２に表示される画像Ｐ２を主表示領域ＭＲにも表示する。また、表示制御部２２は、所定の変更が施された状態の画像Ｐ２を一の副表示領域ＳＲ２と主表示領域ＭＲとの双方に表示するように、背面モニタ１２に表示内容を制御する。さらに、表示制御部２２は、主表示領域ＭＲに表示すべき画像と副表示領域ＳＲに表示すべき複数の画像との双方に関するリサイズ動作等をも制御する。
【００２８】
変更制御部３０は、各画像に関する様々な変更処理を施す処理部である。変更制御部３０は、回転処理部３１と変倍処理部３２と画像処理部３４とを有している。回転処理部３１は、画像の回転処理を実行する処理部であり、変倍処理部３２は、画像の変倍処理（拡大処理および縮小処理）を実行する処理部である。また、画像処理部（画質調整処理部）３４は、画像に対して色、コントラスト、および明るさ等に関する変更処理（画質調整処理）を施す処理部である。
【００２９】
画像メモリ５６は、画像データを一時的に記憶するための、高速アクセス可能な画像メモリであり、複数フレーム分の画像データを記憶可能な容量を有する。
【００３０】
＜３．再生動作＞
＜３−１．概要＞
つぎに、図５を参照しながら、撮像装置１における再生動作について説明する。図５は、背面モニタ１２における再生画面（画像再生画面）Ｇ１の一例を示す図である。この再生画面Ｇ１は、モード設定ダイヤル８２の操作により撮像装置１のモードが「再生モード」に切り替えられること等に応じて、背面モニタ１２に表示される。
【００３１】
図５に示すように、背面モニタ１２の再生画面Ｇ１には、比較的大きな単一の主表示領域ＭＲと比較的小さな複数（ここでは３つ）の副表示領域ＳＲ（ＳＲ１〜ＳＲ３）とが設けられている。主表示領域ＭＲは背面モニタ１２内の上側に配置されており、副表示領域ＳＲ（ＳＲ１〜ＳＲ３）は、背面モニタ１２内の下側に水平方向に並べて配置されている。また、各副表示領域ＳＲ１〜ＳＲ３は、主表示領域ＭＲよりも小さな領域であり、例えば主表示領域ＭＲの約数分の１〜約十数分の１（例えば約１／４）の大きさ（面積）を有している。
【００３２】
各表示領域ＭＲ，ＳＲには、メモリカード９０から読み出された複数の画像が表示される。具体的には、３つの副表示領域ＳＲ１〜ＳＲ３には、所定の基準による順序（例えば撮影番号順）で並べられている複数の画像のうち、連続する３つの画像が表示される。また、３つの副表示領域ＳＲ１〜ＳＲ３のうちの一の副表示領域（詳細には中央の副表示領域ＳＲ２）に表示されている画像Ｐ２は、主表示領域ＭＲにも表示される。
【００３３】
詳細には、まず、読出部２１（図３）によって第ｉ画像Ｐ（ｉ）がメモリカード９０から画像メモリ５６へと読み出される。その後、表示制御部２２によって第ｉ画像Ｐ（ｉ）に関するリサイズ処理が施され、主表示領域ＭＲの大きさに応じた画素数を有する画像データＰＭと、副表示領域ＳＲ（ＳＲ２）の大きさに応じた画素数を有する画像データＰＳ（ＰＳ２）とが生成される。
【００３４】
また、読出部２１によって第（ｉ−１）画像Ｐ（ｉ−１）がメモリカード９０から画像メモリ５６へと読み出される。そして、表示制御部２２によって、第（ｉ−１）画像Ｐ（ｉ−１）に関するリサイズ処理が施され、副表示領域ＳＲ（ＳＲ１）の大きさに応じた画素数を有する画像データＰＳ（ＰＳ１）が生成される。
【００３５】
さらに、読出部２１によって第（ｉ＋１）画像Ｐ（ｉ＋１）がメモリカード９０から画像メモリ５６へと読み出される。そして、表示制御部２２によって、第（ｉ＋１）画像Ｐ（ｉ＋１）に関するリサイズ処理が施され、副表示領域ＳＲ（ＳＲ３）の大きさに応じた画素数を有する画像データＰＳ（ＰＳ３）が生成される。
【００３６】
そして、表示制御部２２によって、これらの画像データＰＭ、ＰＳ１〜ＰＳ３による背面モニタ１２での表示動作が実行される。具体的には、背面モニタ１２の副表示領域ＳＲ１〜ＳＲ３においては、画像データＰＳ１〜ＰＳ３を用いて比較的小さな画像（サブ画像（副画像）とも称する）が表示される。また、背面モニタ１２の主表示領域ＭＲにおいては、画像データＰＭを用いて比較的大きな画像（メイン画像（主画像）とも称する）が表示される。
【００３７】
その後、このような状態においてメニューボタン８３Ａが押下されると、表示制御部２２によって、図６のようなメニュー画面ＧＭが画面Ｇ１（図５）に代えて背面モニタ１２に表示される。このメニュー画面ＧＭには、「回転」、「拡大・縮小」（変倍）、「削除」、「プロテクト」、「ＤＰＯＦ」、「明るさ変更」等を含む複数のメニュー項目が列挙されている。これらの複数のメニュー項目の中から、撮像装置１の操作者によって所望のメニュー項目が選択されると、当該選択項目に応じた所望の変更動作が実行される。
【００３８】
＜３−２．変倍処理＞
以下では、メニュー画面ＧＭ（図６）においてメニュー項目「拡大・縮小」が選択された場合を例示する。
【００３９】
メニュー項目「拡大・縮小」が選択されると、背面モニタ１２にはメニュー画面ＧＭに代えて再び画面Ｇ１（図５参照）が表示される。ただし、再表示後の画面Ｇ１においては、画像の変倍処理（拡大／縮小処理）が可能になる。
【００４０】
具体的には、まず、複数の副表示領域ＳＲ１〜ＳＲ３等に関するスクロール動作が、方向選択キー８４の左ボタン８４Ｌと右ボタン８４Ｒとを用いて実行され、「変倍」処理の対象画像が選択される。
【００４１】
例えば、左ボタン８４Ｌが押下されると、それまで左端側の副表示領域ＳＲ１に表示されていた画像Ｐ（ｉ−１）が、中央の副表示領域ＳＲ２に表示されるとともに主表示領域ＭＲにも表示される。また、それまで中央の副表示領域ＳＲ２に表示されていた画像Ｐ（ｉ）は、右端側の副表示領域ＳＲ３に表示される。また、左端側の副表示領域ＳＲ１には、画像Ｐ（ｉ−１）よりも仮想的に左側に存在する別の画像Ｐ（ｉ−２）が表示される。なお、その後、さらに左ボタン８４Ｌが押下されると、同様の動作が実行され、さらに左側の画像が中央へとスクロールする動作が実現される。
【００４２】
あるいは、逆に、右ボタン８４Ｒが押下されると、それまで右端側の副表示領域ＳＲ３に表示されていた画像Ｐ（ｉ＋１）が、中央の副表示領域ＳＲ２に表示されるとともに主表示領域ＭＲにも表示される。また、それまで中央の副表示領域ＳＲ２に表示されていた画像Ｐ（ｉ）は、左端側の副表示領域ＳＲ１に表示される。また、右端側の副表示領域ＳＲ３には、画像Ｐ（ｉ＋１）よりも仮想的に右側に存在する別の画像Ｐ（ｉ＋２）が表示される。
【００４３】
このようなスクロール操作によって、メモリカード９０内の複数の画像のうち３つの画像が３つの副表示領域ＳＲ１〜ＳＲ３に表示される。また、上述のように、各時点において中央の副表示領域ＳＲ２に表示されている画像は、上方の主表示領域ＭＲにも表示される。したがって、主表示領域ＭＲに表示される比較的大きなメイン画像によって、処理対象の画像を確認することができる。
【００４４】
そして、変倍処理の対象画像Ｐ（ｉ）が主表示領域ＭＲと副表示領域ＳＲ２との双方に表示されている状態において、当該対象画像に対する変倍指示操作が受け付けられる。具体的には、上ボタン８４Ｕが押下されると拡大指示がなされたものとみなされ、下ボタン８４Ｄが押下されると縮小指示がなされたものとみなされる。
【００４５】
例えば、上ボタン８４Ｕが押下されると、所定の拡大率（例えば、２００％）に応じて画像が拡大される。ここでは、上ボタン８４Ｕが１回押下され、元の画像を２倍に拡大する拡大指示（指示入力）が付与されたものとする。
【００４６】
このような拡大指示が付与されると、当該拡大指示（指示入力）に応答して、主表示領域ＭＲへの拡大表示用の新たな画像データＰＭが生成される。
【００４７】
具体的には、対象画像Ｐ（ｉ）の画像データを再度メモリカード９０から読み出し、対象画像Ｐ（ｉ）のうちの拡大対象部分を切り出し、さらに所定の拡大率に応じて間引き度合いを低減してリサイズすることによって、新たな画像データＰＭが生成される。この画像データＰＭは、いわゆる拡大画像である。
【００４８】
また、副表示領域ＳＲ２における表示用の新たな画像データＰＳ２（ＮＤ）も生成される。具体的には、この新たな画像データＰＳ２（ＮＤ）は、元の画像データ（すなわち拡大前の画像データ）ＰＳ２（ＢＤ）と同じ大きさ（すなわち拡大率１００％）を有する画像を表現するデータとして生成される。また、当該新たな画像データＰＳ２（ＮＤ）は、元の画像内における拡大対象部分を示す枠表示ＦＨが元の画像データＰＳ２（ＢＤ）に重畳された（重ねられた）画像を表現するデータとして生成される（図７参照）。
【００４９】
なお、当該対象画像に関して２倍の拡大処理が施されている旨および拡大中心位置も、撮像装置１の記憶部（メモリ等）において記憶される。
【００５０】
そして、変更後の画像データＰＭ、ＰＳ２等を用いて再生画面Ｇ１が更新される。具体的には、図７に示すように、拡大処理後の新たな画像データＰＭを用いて対象画像Ｐ（ｉ）が主表示領域ＭＲにおいて拡大表示されるとともに、新たな画像データＰＳ２（ＮＤ）を用いて対象画像Ｐ（ｉ）が副表示領域ＳＲ２において表示される。詳細には、主表示領域ＭＲには、新たな画像データＰＭを用いて、対象画像Ｐ（ｉ）内の拡大対象部分を拡大した拡大後の画像が表示される。また、副表示領域ＳＲ２には、新たな画像データＰＳ２（ＮＤ）を用いて、拡大前の対象画像Ｐ（ｉ）が表示される。また、副表示領域ＳＲ２では、枠表示ＦＨが、対象画像Ｐ（ｉ）内の拡大対象部分を囲むように拡大前の対象画像Ｐ（ｉ）に重ねて表示される。
【００５１】
その後、上ボタン８４Ｕがもう一度押下されると、撮像装置１は、同様の動作を実行し、所定の拡大率（例えば、２００％）に応じて画像をさらに拡大する。具体的には、例えば、図８に示すように、元の画像を２倍に拡大した画像をさらに２倍に拡大した画像（合計拡大率４００％の画像）が主表示領域ＭＲに表示される。また、副表示領域ＳＲ２においては、当該主表示領域ＭＲに表示されている拡大画像の表示範囲（換言すれば、元の画像における拡大対象部分）を明示する枠表示ＦＨが元の画像に重ねて表示される。主表示領域ＭＲに表示される拡大画像の拡大率が大きくなるにつれて、元の画像において当該枠表示ＦＨで囲まれる面積は小さくなる。そのため、図８の枠表示ＦＨは、図７の枠表示ＦＨよりも小さい。
【００５２】
さらに、今度は下ボタン８４Ｄが押下されると、撮像装置１は、所定の縮小率（例えば、５０％）に応じて縮小された画像を主表示領域ＭＲに表示する。具体的には、図７に示すように、元の画像（図５）を４倍に拡大した画像（図８）を今度は１／２倍にした画像（すなわち、合計拡大率２００％（＝４００％×１／２）の画像）が主表示領域ＭＲに再び表示される。また、当該主表示領域ＭＲに表示されている拡大画像の表示範囲（換言すれば、元の画像における拡大対象部分）を明示する枠表示ＦＨが、副表示領域ＳＲ２において元の画像に重ねて表示される。
【００５３】
また、上記のような変倍操作においては、拡大対象部分の位置変更操作も受け付けられる。具体的には、シフトボタン８３Ｄ（図１）を１回押下すると、画像内における拡大対象部分の位置を設定することが可能になる。そして、上ボタン８４Ｕと下ボタン８４Ｄと左ボタン８４Ｌと右ボタン８４Ｒとを用いて枠表示ＦＨが副表示領域ＳＲ２内において移動され、拡大対象部分（拡大範囲）が設定される。また、シフトボタン８３Ｄをもう１回押下すると、拡大位置の設定モードは終了し、再び、上ボタン８４Ｕによる拡大指示および下ボタン８４Ｄによる縮小指示等が受け付けられる。
【００５４】
また、その後、スクロール操作を伴って、他の画像に関して同様の変倍操作を実行することも可能である。
【００５５】
具体的には、或る画像Ｐ（ｉ）を所定の拡大率（例えば２００％）で拡大して主表示領域ＭＲに拡大表示した状態（図７参照）で、さらにスクロール操作を行うと、今度は、隣接する画像Ｐ（ｉ−１）（あるいは画像Ｐ（ｉ＋１））が、同じ拡大率（例えば２００％）で拡大されて主表示領域ＭＲに表示される。例えば、右ボタン８４Ｒが押下されると、それまで図７に示すように右端側の副表示領域ＳＲ３に表示されていた画像Ｐ（ｉ＋１）が、図９に示すように中央の副表示領域ＳＲ２に表示されるとともに主表示領域ＭＲにも表示される。この画像Ｐ（ｉ＋１）は、拡大率２００％で主表示領域ＭＲに表示され、拡大率１００％で副表示領域ＳＲ２に表示される。また、副表示領域ＳＲ２には枠表示ＦＨが付されている。さらに、それまで中央の副表示領域ＳＲ２に表示されていた画像Ｐ（ｉ）は、左端側の副表示領域ＳＲ１に拡大率１００％で表示され、右端側の副表示領域ＳＲ３には、画像Ｐ（ｉ＋１）よりも仮想的に右側に存在する別の画像Ｐ（ｉ＋２）が拡大率１００％で表示される。
【００５６】
なお、この実施形態においては、枠表示ＦＨが中央の副表示領域ＳＲ２においてのみ表示される場合を例示したが、これに限定されない。例えば、図１０に示すように、左側の副表示領域ＳＲ１、および右側の副表示領域ＳＲ３にも、枠表示ＦＨが表示されるようにしてもよい。特に、上述のようなスクロール操作を行う際には、図１０のような表示を用いることが好ましい。図１０のような表示を行うことによれば、画像Ｐ（ｉ）の前後の画像Ｐ（ｉ−１），Ｐ（ｉ＋１）内において次に主表示領域ＭＲで拡大表示される部分が、副表示領域ＳＲ１の枠表示ＦＨまたは副表示領域ＳＲ３の枠表示ＦＨによって明示されるので、次に拡大表示される部分を容易に認識することができる。端的に言えば、スクロール操作時において拡大箇所に関する予測性を高めることができる。
【００５７】
以上のような表示動作においては、複数の副表示領域ＳＲ（ＳＲ１〜ＳＲ３）に複数の画像が表示されるとともに、複数の副表示領域ＳＲ１〜ＳＲ３のうちの中央の副表示領域ＳＲ２に表示された画像Ｐ２は主表示領域ＭＲにも表示される。したがって、複数の副表示領域ＳＲ１〜ＳＲ３を用いて、或る画像Ｐ２を他の画像と比較しながら視認するとともに、比較的大きな主表示領域ＭＲを用いて、或る画像Ｐ２を確実に視認することができる。
【００５８】
特に、所定の変更（ここでは変倍処理）が施された状態の画像Ｐ２が主表示領域ＭＲに比較的大きく表示されるので、変更内容の確認（換言すれば、変倍された画像の確認）が容易である。また、変更後の画像Ｐ２が複数の副表示領域ＳＲのうちの中央の副表示領域ＳＲ２にも表示されるので、複数の画像のうち画像Ｐ２に対して当該所定の変更が施されたことを他の画像と比較しつつ確認することができる。さらに、副表示領域ＳＲ２には、拡大対象部分を示す枠表示ＦＨが拡大前の元の画像に重ねて表示されるので、主表示領域ＭＲ内に表示された拡大画像が元の画像のいずれの部分を拡大したものであるかを容易に確認できる。
【００５９】
なお、上記では拡大処理を中心に説明したが、縮小処理についても同様である。例えば、一旦拡大した画像を縮小して主表示領域ＭＲに表示する場合には、変倍率が縮小後の値に変更される点を除き、上記と同様の動作が実行される。ただし、元の画像に対する変倍率が１００％を下回った場合、すなわち元の画像よりも小さな画像を主表示領域ＭＲに表示する場合には、枠表示ＦＨは副表示領域ＳＲ２には表示されない。
【００６０】
＜３−３．画質調整処理（明るさ変更）＞
次に、画質調整処理（具体的には、明るさ変更処理）について説明する。
【００６１】
今度は、図５においてメニューボタン８３Ａが押下されてメニュー画面ＧＭ（図６）が表示された際に、メニュー項目「明るさ変更」が選択された場合を例示する。
【００６２】
メニュー項目「明るさ変更」が選択されると、背面モニタ１２にはメニュー画面ＧＭに代えて再び画面Ｇ１（図５参照）が表示される。ただし、再表示後の画面Ｇ１においては、選択画像の明るさを変更する処理（輝度変更処理とも称される）の実行が可能になる。
【００６３】
この「明るさ変更処理」においては、上ボタン８４Ｕと下ボタン８４Ｄとの押下に応じて、明るさを増減する変更操作が可能である。
【００６４】
例えば、図５の状態において、下ボタン８４Ｄが押下されると、次のような動作が実行される。具体的には、まず、対象画像Ｐ（ｉ）に関する主表示領域ＭＲへの表示用の画像データＰＭに対して明るさを低減する画質調整処理が施される。また、同じ対象画像Ｐ（ｉ）に関する副表示領域ＳＲ２への表示用の画像データＰＳ２に対しても、同程度の明るさ変更処理が施される。そして、明るさ変更後の新たな画像データＰＭを用いて対象画像Ｐ（ｉ）が主表示領域ＭＲにおいて表示されるとともに、明るさ変更後の新たな画像データＰＳ２を用いて対象画像Ｐ（ｉ）が副表示領域ＳＲ２において表示される（図１１参照）。また、当該対象画像Ｐ（ｉ）に関しては、明るさ変更の指示が付与されていることが、当該明るさ変更の程度とともに、撮像装置１の記憶部（メモリ等）に記憶される。
【００６５】
なお、その他の動作は、上述の「変倍処理」における動作と同様に実行される。例えば、副表示領域ＳＲに関するスクロール操作を伴って、対象画像の選択操作が実行される。
【００６６】
以上のような表示動作においては、複数の副表示領域ＳＲ（ＳＲ１〜ＳＲ３）に複数の画像が表示されるとともに、複数の副表示領域ＳＲ１〜ＳＲ３のうちの中央の副表示領域ＳＲ２に表示された画像Ｐ２（画像Ｐ（ｊ））は主表示領域ＭＲにも表示される。したがって、複数の副表示領域ＳＲ１〜ＳＲ３を用いて、或る画像Ｐ２を他の画像と比較しながら視認するとともに、比較的大きな主表示領域ＭＲを用いて、或る画像Ｐ２を確実に視認することができる。
【００６７】
特に、所定の画質調整処理（ここでは明るさ変更処理）が施された状態の画像Ｐ２が主表示領域ＭＲに比較的大きく表示されるので、変更内容の確認（換言すれば、明るさ変更後の画像の確認）が容易である。また、変更後の画像Ｐ２が中央の副表示領域ＳＲ２にも表示されるので、画像Ｐ２に対する当該所定の変更を他の画像と比較しつつ確認することができる。詳細には、複数の画像のうち或る画像Ｐ２に対して明るさ変更処理が施されていることを、各副表示領域ＳＲ１〜ＳＲ３に表示される他の画像と比較（対照）しつつ、認識することができる。また、明るさ変更後の画像Ｐ２を、各副表示領域ＳＲ１〜ＳＲ３に表示される他の画像と比較（対照）しながら、視認することも可能である。
【００６８】
さて、次に、上記のような明るさ変更処理が変倍処理と組み合わせて実行される場合について説明する。ここでは、上記のような変倍操作を実行した後に、明るさ変更操作が実行されるものとする。詳細には、上述のような拡大処理において各画像を２倍に拡大表示する設定を行った後に、上述のような明るさ変更処理を行う。これによれば、明るさ変更処理後の画像の拡大対象部分を主表示領域ＭＲで拡大して確認することができる。
【００６９】
より詳細には、次のような動作が実行される。
【００７０】
まず、画面Ｇ１（図５）が表示されている状態において、メニューボタン８３Ａ（図２）が押下され、メニュー画面ＧＭ（図６）の中から「拡大・縮小」が選択される。当該選択操作に応じて、背面モニタ１２には画面Ｇ１（図５）が再び表示される。
【００７１】
その後、対象画像Ｐ（ｉ）が主表示領域ＭＲと副表示領域ＳＲ２とに表示されている状態において、上ボタン８４Ｕが１回押下されると、この拡大操作に応答して図７の画面Ｇ１が背面モニタ１２に表示される。具体的には、主表示領域ＭＲにおいては、変更後の設定倍率（例えば２００％）で拡大された対象画像Ｐ（ｉ）が表示される。副表示領域ＳＲ２においては、対象画像Ｐ（ｉ）は元の大きさ（元画像に対する変倍率１００％）で表示される。また、副表示領域ＳＲ２においては、枠表示ＦＨが元の大きさの画像（拡大前の画像）に重ねて表示される。
【００７２】
さらに、再びメニューボタン８３Ａが押下され、今度はメニュー画面ＧＭ（図６）の中から「明るさ変更」が選択される。この選択操作に応答して図７の画面Ｇ１が背面モニタ１２に再び表示される。
【００７３】
その後、対象画像Ｐ（ｉ）の明るさを低減すべく下ボタン８４Ｄが１回押下されると、この明るさ低減操作に応答して、図１２の画面Ｇ１が背面モニタ１２に表示される。具体的には、図１２に示すように、主表示領域ＭＲにおいては、図７と同様の拡大率（２００％）で拡大された対象画像Ｐ（ｉ）が、その明るさが低減された状態で表示される。また、副表示領域ＳＲ２においては、対象画像Ｐ（ｉ）が、元の大きさ（元画像に対する変倍率１００％）を有し、且つ、その明るさが低減された状態で表示される。さらに、副表示領域ＳＲ２では、枠表示ＦＨが元の大きさの画像（拡大前の画像）に重ねて表示される。すなわち、副表示領域ＳＲ２では、拡大対象部分を示す枠表示ＦＨが拡大前の画像Ｐ（ｉ）に対して重畳された画像が表示される。
【００７４】
なお、このような下ボタン８４Ｄの押下操作は、画質調整処理と画像拡大処理とを含む変更処理を指示する指示入力を付与する操作であるとも表現される。
【００７５】
以上のような動作によれば、所定の画質調整処理（ここでは明るさ変更処理）が施された状態の画像Ｐ２が比較的大きな主表示領域ＭＲにおいて拡大表示されるので、変更内容の確認（換言すれば、明るさ変更後の画像の確認）が容易である。また、副表示領域ＳＲ２には、拡大対象部分を示す枠表示ＦＨが拡大前の元の画像に重ねて表示されるので、主表示領域ＭＲ内に表示された拡大画像が元の画像のいずれの部分を拡大したものであるかを容易に確認することもできる。さらに、同等の画質調整処理が施された変更後の画像Ｐ２が中央の副表示領域ＳＲ２にも表示されるので、画像Ｐ２に対する当該所定の変更を他の画像と比較しつつ確認することができる。詳細には、複数の画像のうち或る画像Ｐ２に対して明るさ変更処理が施されていることを、各副表示領域ＳＲ１〜ＳＲ３に表示される他の画像と比較（対照）しつつ、認識することができる。また、明るさ変更後の画像Ｐ２を、各副表示領域ＳＲ１〜ＳＲ３に表示される他の画像と比較（対照）しながら、視認することも可能である。
【００７６】
＜４．その他＞
以上、この発明の実施の形態について説明したが、この発明は上記説明した内容のものに限定されるものではない。
【００７７】
たとえば、上記実施形態においては、画質調整処理のうち「明るさ変更処理」について例示したが、これに限定されず、その他の画質調整処理（例えば、「コントラスト変更処理」、「色相変更処理」、「彩度変更処理」等）についても、上記の思想を適用することが可能である。
【００７８】
これによれば、図１１および図１２等に示すように、所定の変更（「コントラスト変更処理」等）が施された状態の画像Ｐ２が主表示領域ＭＲに比較的大きく表示されるので、変更内容の確認（コントラスト変更後の画像の確認等）が容易である。また、変更後の画像Ｐ２が中央の副表示領域ＳＲ２にも表示されるので、画像Ｐ２に対する当該所定の変更を他の画像と比較しつつ確認することができる。詳細には、複数の画像のうち或る画像Ｐ２に対して画質調整処理が施されていることを、各副表示領域ＳＲ１〜ＳＲ３に表示される他の画像とも比較（対照）しながら、認識することができる。
【００７９】
なお、図１１および図１２においては、副表示領域ＳＲ２と主表示領域ＭＲとの双方に表示される各画像に対して同等の画質調整処理が施されている。ただし、これに限定されず、副表示領域ＳＲ２の表示画像には画質調整処理を施さないようにしてもよい。
【００８０】
また特に、図１２等に示すような拡大表示動作を伴って画質調整処理（コントラスト変更処理等）を行うことが好ましい。具体的には、元の画像内の拡大対象部分を拡大した拡大画像であって、指定された画質調整処理が施された拡大画像を、主表示領域ＭＲに表示することが好ましい。また、この際、当該拡大対象部分を示す枠表示ＦＨが重ねられた状態で、拡大前の画像（元の画像）を副表示領域ＳＲ２に表示することが好ましい。このような拡大表示動作を伴って画質調整処理を行う場合には、主表示領域ＭＲに表示されている拡大画像が元の画像のいずれの部分を拡大したものであるかを、元の画像内の枠表示ＦＨを用いて容易に確認しつつ、主表示領域ＭＲにおける拡大表示で画質変更内容を確認することができる。
【００８１】
また、上記実施形態においては、表示制御部２２は、背面モニタ１２における表示内容を制御して、複数の副表示領域ＳＲ１〜ＳＲ３のうちの中央の副表示領域ＳＲ２に表示される画像Ｐ２を主表示領域ＭＲにも表示させている。しかしながら、これに限定されず、例えば、複数の副表示領域ＳＲ１〜ＳＲ３のうちの左側の副表示領域ＳＲ１に表示される画像Ｐ１を主表示領域ＭＲにも表示するようにしてもよい。なお、この場合には、主表示領域ＭＲと副表示領域ＳＲ１とが対応していることが判り易いように、主表示領域ＭＲを背面モニタ１２の画面Ｇ１内において左寄りに配置することが好ましい。
【００８２】
また、上記実施形態においては、拡大対象部分を囲む矩形形状の実線を用いて、枠表示ＦＨ（図７等参照）を行う場合を例示したが、これに限定されない。例えば、拡大対象部分を囲む矩形形状の破線を用いて、枠表示ＦＨを行うようにしてもよい。あるいは、図１３に示すように、当該拡大対象部分の四隅のみを明示する態様の枠表示ＦＨを用いるようにしてもよい。
【００８３】
また、上記実施形態においては、メニュー画面ＧＭ（図６）を利用して、変更処理に関する指示入力を受け付ける場合を例示したが、これに限定されない。例えば、各機能を割り付けた専用ボタンを撮像装置１に設けておき、当該専用ボタンの押下に応答して、各種の指示入力を受け付けるようにしてもよい。詳細には、変倍に関する指示ボタン（「拡大ボタン」（「＋ボタン」）および「縮小ボタン」（「−ボタン」））を設けて、拡大縮小に関する指示入力を受け付けるようにしてもよい。また、画質調整値変更ボタン（「アップボタン」および「ダウンボタン」）を設けて、画質調整値に関する指示入力を受け付けるようにしてもよい。さらに、これら２種類の指示入力のうちの一方の指示入力を、専用ボタン（例えば変倍に関する指示ボタン）で受け付けるとともに、他方の指示入力を、上記と同様のメニュー画面を利用して受け付けるようにしてもよい。
【００８４】
また、上記実施形態においては、撮像装置１の表示部（背面モニタ１２）に画像を表示する画像表示技術に本発明の思想を適用する場合を例示したが、これに限定されない。
【００８５】
例えば、撮像装置１によって取得された撮影画像を、コンピュータ（パーソナルコンピュータ等）のディスプレイ（表示部）に表示する場合に本発明の思想を適用するようにしてもよい。具体的には、パーソナルコンピュータのＣＰＵ等を用いて上記の機能を実現するプログラムを実行し、撮像装置１によって取得された撮影画像を上記の画面Ｇ１と同様の画面に表示するようにしてもよい。
【００８６】
また、表示対象の画像は撮影画像に限定されず、様々な種類の画像を表示対象にするようにしてもよい。
【００８７】
さらには、撮像機能を有しない画像再生専用装置等において、各種の画像を表示する際に上記の思想を適用するようにしてもよい。
【図面の簡単な説明】
【００８８】
【図１】撮像装置の正面外観図である。
【図２】撮像装置の背面外観図である。
【図３】撮像装置の機能構成を示すブロック図である。
【図４】方向選択キーの拡大図である。
【図５】背面モニタにおける画像再生画面を示す図である。
【図６】メニュー画面を示す図である。
【図７】拡大処理後の再生画面を示す図である。
【図８】更なる拡大処理後の再生画面を示す図である。
【図９】拡大処理後にスクロールした再生画面を示す図である。
【図１０】変形例に係る拡大処理後の再生画面を示す図である。
【図１１】明るさ変更後の再生画面を示す図である。
【図１２】拡大処理と明るさ変更処理とを組み合わせて実行した再生画面を示す図である。
【図１３】変形例に係る枠表示を示す図である。
【符号の説明】
【００８９】
１  撮像装置
１２  背面モニタ
８３  設定ボタン群
８３Ａ  メニューボタン
８３Ｄ  シフトボタン
８４  方向選択キー
ＦＨ  枠表示
Ｇ１  再生画面
ＧＭ  メニュー画面
ＭＲ  主表示領域
Ｐ（ｉ）  対象画像
ＳＲ，ＳＲ１〜ＳＲ３  副表示領域
【図１】
2009151214.tif 000003
【図２】
2009151214.tif 000004
【図３】
2009151214.tif 000005
【図４】
2009151214.tif 000006
【図５】
2009151214.tif 000007
【図６】
2009151214.tif 000008
【図７】
2009151214.tif 000009
【図８】
2009151214.tif 000010
【図９】
2009151214.tif 000011
【図１０】
2009151214.tif 000012
【図１１】
2009151214.tif 000013
【図１２】
2009151214.tif 000014
【図１３】
2009151214.tif 000015